(57)【特許請求の範囲】
【請求項１】
カップ本体開口部に、カップ本体の開口部とほぼ同じ外形を有し、カップ本体の外側に突出した開封用つまみが形成され、カップ本体の開口部を密封シールする即席食品容器用蓋材において、
該蓋材は紙層を主材とする基材シートとこれを被覆する表面シートが接着層を介して積層され、
前記基材シートの接着層と接する側には、剥離ニス層が形成され、
基材シートの略中央部には、基材シート全体の深さに達する湯切孔形成用のハーフカット線が略円形状に設けられ、
さらに表面シートの外側から接着層を貫通し、基材シートの紙層にまで達する、カップ本体開口部外側の開封用つまみ内を通り、且つ湯切孔形成用のハーフカット線を囲む楕円形状の剥離用つまみ形成用のハーフカット線が設けられていることを特徴とする湯切機能付き即席食品容器用蓋材。
【請求項２】
前記紙層を主体とする基材シートが、外側から紙層、ポリエチレンテレフタレート（ＰＥＴ）フィルム、接着性ポリオレフィン樹脂（ＬＴＳ）フィルムの３層構成から成ることを特徴とする請求項１記載の湯切機能付き即席食品容器用蓋材。
【発明の詳細な説明】
【０００１】
【発明の属する技術分野】
本発明は、焼きそば、スパゲッティなど即席食品の密封包装に使用する容器の蓋材に関し、特に乾燥状態の即席食品を柔らかくほぐすために注入する熱湯を排出するための湯切孔を備え、かつ、電子レンジ調理機能を有する即席食品容器用の蓋材に関する。
【０００２】
【従来の技術】
従来、電子レンジ調理機能を有する湯切孔付きの即席食品容器は、例えば、即席食品が収容された紙カップ容器の開口部を、例えば、コート紙／剥離ニス層／ポリエチレン（ＰＥ）／アルミニウム箔（Ａｌ）／ＬＴＳ構成のような、Ａｌ入りの紙を主体とする蓋材で密封して紙カップ容器本体とし、さらに、この紙カップ容器本体に排湯口を有するプラスチック製の成形キャップを被せた容器であった。
【０００３】
この容器は、使用時には、先ずプラスチック製の成形キャップを取り除き、ついで、紙を主体とする蓋材も剥がして紙カップ容器本体を開封し、湯水を注いだ後、プラスチック製の成形キャップを被せて電子レンジ加熱を行い、その後、湯水を成形キャップの排湯口から排出して、最後に成形キャップを紙カップ容器から取り除き、内容物を喫食するというものである。
【０００４】
喫食に際して注湯を行い、所定時間経過後に排湯作業を行う紙カップ容器としてならば、プラスチック製の成形キャップを必要としないのであるが、電子レンジ加熱を必要とするために、Ａｌ入りの紙を主体とする蓋材が電子レンジ加熱時に使用できず、また、プラスチック製の成形キャップのみでは、ガスバリア性が不足するため内容物保護性に欠け、上述のような複雑な材料構成と複雑な作業が必要となっていた。
【０００５】
【発明が解決しようとする課題】
本発明は、湯水切りあるいは湯水注入作業を必要とし、かつ、電子レンジ調理機能を有する即席食品用紙カップ容器に関する以上のような問題点に着目してなされたもので、プラスチック製の成形キャップを必要とせず、比較的簡単な前準備で喫食が可能となる即席食品容器用の蓋材を提供することを目的とする。
【０００６】
【課題を解決するための手段】
本発明の第１の発明は、カップ本体開口部に、カップ本体の開口部とほぼ同じ外形を有し、カップ本体の外側に突出した開封用つまみが形成され、カップ本体の開口部を密封シールする即席食品容器用蓋材において、
該蓋材は紙層を主材とする基材シートとこれを被覆する表面シートが接着層を介して積層され、
前記基材シートの接着層と接する側には、剥離ニス層が形成され、
基材シートの略中央部には、基材シート全体の深さに達する湯切孔形成用のハーフカット線が略円形状に設けられ、
さらに表面シートの外側から接着層を貫通し、基材シートの紙層にまで達する、カップ本体開口部外側の開封用つまみ内を通り、且つ湯切孔形成用のハーフカット線を囲む楕円形状の剥離用つまみ形成用のハーフカット線が設けられていることを特徴とする湯切機能付き即席食品容器用蓋材である。
【０００７】
また、第２の発明は、第１の発明において、前記紙層を主体とする基材シートが、外側から紙層、ＰＥＴフィルム、ＬＴＳフィルムの３層構成から成ることを特徴とする請求項１記載の湯切機能付き即席食品容器用蓋材である。
【０００８】
上記のように本発明によれば、蓋材は、紙層を主材とする基材シートとこれを被覆する表面シートが接着層を介して積層され、前記基材シートの接着層と接する側には、剥離ニス層が形成され、基材シートの略中央部には、基材シート全体の深さに達する湯切孔形成用のハーフカット線が略円形状に設けられ、さらに表面シートの外側から接着層を貫通し、基材シートの紙層にまで達する、カップ本体開口部外側の開封用つまみ内を通り、且つ湯切孔形成用のハーフカット線を囲む楕円形状の剥離用つまみ形成用のハーフカット線が設けられているので、開封用つまみを下に曲げると、剥離用つまみ形成用のハーフカット線に沿って表面シートと接着層が基材シートから分離して、下に曲げた開封用つまみの内側に剥離用つまみが形成される。この剥離用つまみをつまんで蓋材を引き剥がすと、表面シートは剥離用つまみ形成用のハーフカット線に沿って剥がれ、最後に基材シート部分も湯切孔形成用のハーフカット線に沿って剥がれ、湯切孔が開口する。
【０００９】
また、紙層を主体とする基材シートが、外側から紙層、ＰＥＴフィルム、ＬＴＳフィルムの３層構成から成るので、カップ本体と蓋材とは、易剥離が可能となる。
【００１０】
容器や蓋材にアルミニウム等の金属材料を使用していないので、電子レンジ加熱が可能である。
【００１１】
【発明の実施の形態】
以下実施例により本発明を詳細に説明する。
本発明の湯切機能付き即席食品容器用蓋材５は、例えば、図１に示すように、カップ本体開口部に、カップ本体２の開口部とほぼ同じ外形を有し、カップ本体の外側に突出した開封用つまみ４が形成され、カップ本体の開口部を密封シールしてなる構造を有する。
【００１２】
そして、開封用つまみ４を有する蓋材５は、例えば、図２（ａ）、（ｂ）に示すように、紙層１１ａを主材とする基材シート１１とこれを被覆する表面シート１２が接着層１３を介して積層されてなり、基材シート１１の接着層１３と接する側には、剥離ニス層１４が形成されている。
【００１３】
そして、基材シート１１の略中央部には、基材シート全体の深さに達する湯切孔２２形成用のハーフカット線２１が略円形状に設けられている。さらに表面シート１２の外側から接着層１３を貫通して基材シートの紙層１１ａにまで達する、カップ本体開口部外側の開封用つまみ４内を通り、且つ湯切孔形成用のハーフカット線２１を囲む楕円形状の剥離用つまみ形成用のハーフカット線２３が設けられている。
【００１４】
カップ本体２は、電子レンジで加熱すること、少なくと最内層は熱融着性があること等を考慮すると、ＰＥ／カップ原紙／ＰＥ等の紙を主体とする複合シートを用いて一般的な紙カップ成形機で成形することができる。
あるいは、ポリプロピレン等の樹脂を用いて成形されたプラスチックカップ容器であっても構わない。
【００１５】
蓋材５は、本発明の即席食品用容器のポイントであって、剥離用つまみ３をつまんで蓋材を剥がすと、湯切孔２２部分のみ開蓋し、それ以外の部分は開蓋せず、湯切孔２２から湯水を注入あるいは排出することができ、また、開封用つまみ４を持って剥がすことにより、蓋全体が開蓋でき、内容物を喫食することができる構造としたものである。
【００１６】
蓋材５の層構成としては、例えば、内側面から基材シート１１／接着層１３／表面シート１２の複合構成のシートを使用する。
基材シート１１としては、紙層１１ａとＰＥＴフィルム１１ｂとカップ本体２との剥離を容易にするエチレン酢酸ビニル共重合体樹脂フィルム、ＬＴＳフィルムなどのポリオレフィン系樹脂フィルム１１ｃとをこの順にそれぞれ２液反応型のポリエステル樹脂系の接着剤（図示せず）を介して積層した複合シートを使用することができる。
【００１７】
表面シート１２としては、ＰＥＴフィルム、延伸ポリプロピレンフィルム等を使用することができる。
【００１８】
紙層１１ａ／ＰＥＴフィルム１１ｂ／ポリオレフィン系樹脂フィルム１１ｃからなる基材シート１１の紙層側には、ポリビニルアルコール等の目止め剤（図示せず）を介してレシチンなどの可食性界面活性剤、硝化綿系の接着剤にワックスまたはシリコンなどを混合したものからなる剥離ニスを塗布した剥離ニス層１４（０．２〜２０μｍ厚）を、基材シート全面に形成させる。
【００１９】
なお、剥離ニス層１４を含む基材シート１１には、全厚にわたり湯切孔形成用のハーフカット線２１を容器の中央部になる位置に、略円形に設けておく。
【００２０】
ハーフカット線２１を囲むことにより形成される湯切孔２２の形状は、図示した円形に限らず、楕円形、滴形、方形等各種考えられる。
【００２１】
さらに必要に応じて、紙のコート層面またはＰＥＴフィルムの裏面には印刷層１５を設けることができる。
【００２２】
また、接着層１３は、基材シートに設けた剥離ニス層形成面と表面シートのＰＥＴフィルムや印刷層との接着性に優れた接着剤であれば良く、具体的には、ポリエチレン、すなわち、溶融ポリエチレンによる押し出しラミネーション法により基材シートと表面シートを貼り合わせれば良い。
【００２３】
基材シート１１／接着層１３／表面シート１２の３層が積層された積層シートの表面シート側から基材シートの紙層の中間深さまでは、開封用つまみ内を通り、且つ湯切孔形成用のハーフカット線２１を囲む楕円形状の剥離用つまみ３形成用のハーフカット線２３が設けられている。
【００２４】
このハーフカット線２３は、基材シート１１と表面シート１２を接着層１３を介して積層して積層シートとし、この積層シートを蓋材に打抜く際、蓋材の打抜きと同時に、表面シート側から基材シート側に向けて基材シートの紙層部分の中間深さまでハーフカット線２３を加工することにより形成できる。
【００２５】
本発明の湯切機能付き即席食品容器用蓋材の使用方法につき説明する。先ず、開封用つまみ４を下に曲げると、剥離用つまみ形成用のハーフカット線２３に沿って表面シート１２と接着層１３が基材シート１１から分離して、下に曲げた開封用つまみ４の上の方に剥離用つまみ３が形成される。この剥離用つまみ３をつまんで蓋材を剥がすと、表面シート１２は剥離用つまみ形成用のハーフカット線２３に沿って剥がれ、基材シート部分も湯切孔形成用のハーフカット線２１に沿って剥離して、孔が開き、湯切孔２２が開蓋する（図３参照）。そして湯切孔２２から湯水をカップ本体２に注入する。ついで、剥離用つまみ３をカップ本体２の外周端部に折り曲げて再封し、食品を可食状態にするための所定時間、電子レンジ加熱を行い、加熱終了後、電子レンジから取り出し、湯切孔２２から不要となった湯を排出する。最後に、開封用つまみ４をつまんで蓋材５をカップ本体２の開口部６から対向する方向に剥がすと、蓋材は剥離用つまみ３もろともカップ本体２から剥がれ喫食可能となる。
【００２６】
【実施例】
以下に本発明の実施例をさらに具体的に説明する。
〈実施例１〉
本発明の湯切機能付き即席食品容器用蓋材は、図２（ａ）、（ｂ）に示すように、先ず、３０μｍ厚のイージーピール性を有するポリオレフィン樹脂系フィルム１１ａと１２μｍ厚のＰＥＴフィルム１１ｂとを２液反応型のポリエステル樹脂系の接着剤を介してドライラミネーション法により積層した基材シート１１を準備した。
【００２７】
先ず、表面シート１２として印刷層１５を設けた１２μｍ厚のＰＥＴフィルムを準備する。
同時に、基材シート１１を構成する坪量８５ｇ／ｍ2 のコート紙１１ａと、１２μｍ厚のＰＥＴフィルム１１ｂ、３０μｍ厚のＬＴＳフィルム１１ｃをそれぞれ準備する。
準備したコート紙１１ａのコート面に、ポリビニルアルコール等の目止め剤（図示せず）を介してレシチンなどの可食性界面活性剤、硝化綿系の接着剤にワックスまたはシリコンなどを混合したものからなる剥離ニスを塗布した剥離ニス層１４（１０μｍ厚）をコート紙の全面に形成させる。
【００２８】
印刷層１５を設けた１２μｍ厚のＰＥＴフィルム１２ａの印刷層面と、ミシン目線２３が穿設され、剥離ニス層１４が形成されたコート紙１２ｂの剥離ニス層面とを対向させ、２液反応型のポリエステル樹脂系接着剤を用いてドライラミネーション法により積層し、表面シート１２とした。
【００２９】
ついで、基材シート１１の剥離ニス形成面と表面シート１２の印刷層形成面とを対向させ、熱接着性に優れたポリエチレンを接着層１３（１５μｍ厚）としてエクストルーダを用いてラミネートすることにより基材シート１１／接着層１３／表面シート１２からなる積層シートとした。
【００３０】
続いてこの積層シートを大断ちした後、表面シート側から基材シートの紙層の深さまで剥離つまみ形成用のハーフカット加工を行うと共に、基材シートのＬＴＳフィルム側から接着層まで湯切り孔形成用のハーフカット加工を行い、最後に蓋材の形に打ち抜き加工を行い、本発明の湯切機能を付き即席食品容器用蓋材を作製した。
【００３１】
【発明の効果】
上記のように本発明によれば、蓋材を容器本体から完全に剥がすことなく湯切孔を開けることができるという新しい機能を有する蓋材が作製できた。
また、アルミニウム箔などの金属箔を使用しないので、電子レンジでの加熱が可能である。
【図面の簡単な説明】
【図１】本発明の湯切機能付き即席食品容器用蓋材をカップ本体に閉蓋させた状態を示す斜視説明図である。
【図２】本発明の湯切機能付き即席食品容器用蓋材の一実施例を示す、（ａ）は平面説明図であり、（ｂ）は（ａ）のＡ−Ａ’線断面説明図である。
【図３】本発明の湯切機能付き即席食品容器用蓋材の剥離つまみをつまんで蓋材を約１／２程度開封した状態を示す拡大側断面説明図である。
【符号の説明】
１‥‥即席食品用容器
２‥‥カップ本体
３‥‥剥離用つまみ
４‥‥開封用つまみ
５‥‥蓋材
６‥‥カップ本体の開口部
１１‥‥基材シート
１１ａ‥紙層
１１ｂ‥ＰＥＴフィルム
１１ｃ‥ＬＴＳフィルム
１２‥‥表面シート、ＰＥＴフィルム
１３‥‥接着層
１４‥‥剥離ニス層
１５‥‥印刷層
２１‥‥湯切孔形成用ハーフカット線
２２‥‥湯切孔
２３‥‥剥離用つまみ形成用ハーフカット線
【図１】
0004366787.tif 000002
【図２】
0004366787.tif 000003
【図３】
0004366787.tif 000004